(57)【特許請求の範囲】
【請求項１】
中心波長が４０５ナノメータ帯のレーザ光を用いて、カバー層厚みが０．６ミリメータ帯である中心波長が４０５ナノメータ帯のレーザ光で記録及び再生が最適化された第１光ディスクの記録及び再生と、カバー層厚みが０．６ミリメータである中心波長が６５０ナノメータ帯のレーザ光で記録及び再生が最適化された第２光ディスクの再生と、を実行可能とし、
記録及び再生に用いる光ピックアップの対物レンズの開口数が前記第１光ディスクの記録及び再生に最適化され、前記第１光ディスクの記録及び再生、並びに前記第２光ディスクの再生が実行され、
前記第２光ディスクの再生には、シンメトリー補正手段を用いることを特徴とする互換系光情報記録再生装置。
【請求項２】
前記シンメトリー補正手段は、ＡＤ変換器と、ピーク検出回路と、平均値検出回路と、を有することを特徴とする請求項１に記載の互換系光情報再生装置。
【請求項３】
前記第２光ディスクの再生時に取り出したＲＦ信号をディスク回転と同期制御する前に前記シンメトリー補正手段によりシンメトリー補正することを特徴とする請求項１に記載の互換系光情報再生装置。
【請求項４】
前記第２光ディスクの再生時に取り出したＲＦ信号を信号復調する前に前記シンメトリー補正手段によりシンメトリー補正することを特徴とする請求項１に記載の互換系光情報再生装置。
【請求項５】
前記第２光ディスクの再生時に取り出したＲＦ信号をスライスする前に前記シンメトリー補正手段によりシンメトリー補正することを特徴とする請求項１に記載の互換系光情報再生装置。
【請求項６】
前記第２光ディスクの再生時に取り出したＲＦ信号をスライスする前にスライスレベル補正することを特徴とする請求項１、２及び５のいずれか１つに記載の互換系光情報再生装置。
【請求項７】
前記第２光ディスクの再生時に取り出したＲＦ信号をスライスする前に、１ビット時間幅に対するピークを検出し、平均値を検出することを特徴とする請求項１、２及び５のいずれか１つに記載の互換系光情報再生装置。
【発明の詳細な説明】
【技術分野】
【０００１】
本発明は、互換系光情報記録再生装置に関し、より詳細には、青色レーザで再生する光学系と赤色レーザで再生するＤＶＤ光学系との互換系光情報記録再生装置に関する。
【背景技術】
【０００２】
ＤＶＤ（Digital Versatile Disc）とＣＤ（Compact Disc）との互換性を有した光情報記録再生装置は広く普及している。更なる大容量光情報記録再生装置として青色半導体レーザを用いた次世代ＤＶＤが開発されている。この場合、従来のＤＶＤやＣＤとの互換性をさらに備えた光情報記録再生装置が強く要求される。
【０００３】
次世代ＤＶＤにおける１５ギガバイト（１層）以上の記録容量を実現するために、中心波長が４０５ナノメータ帯近傍である青色半導体レーザ、高開口数（例えば０．６〜０．８５）を有する対物レンズ（ＯＬ）を用いる光学系、映像符号化方式などが必要であり、開発が進められている。
【０００４】
記録容量を大きくするために、半導体レーザの波長を４０５ナノメータ帯とし、高開口数である対物レンズを用いることにより、半導体レーザスポット径を小さくしている。このような対物レンズを共通に含み、さらにＤＶＤ−ＲＯＭ（Read Only Memory）やＣＤ−ＲＯＭなどの光ディスクとの互換性を確保するためには、光学系が複雑となる。すなわち、開口制限、収差補正、波長の異なる半導体レーザ光を反射および透過により光路変更させるビームスプリッタなどが必要となる。これら光学部品要素を透過する度に光の減衰を生じるので、光学系が複雑になるほど光ディスク上に到達し、その後反射されて再生用である光検出器への入射光が小さくなる。
【０００５】
この場合、全ての規格の光ディスクにおいて記録が必要とは限らない。そこで、再生専用の光ディスク規格に対応する半導体レーザにおいては、再生用途に必要な光出力があればよい。この場合、次世代ＤＶＤとの互換性を確保するために配置される光学部品による光の減衰が大となり、従来の半導体レーザでは光出力が不足することがある。しかし、新たにより高出力の半導体レーザを用いたピックアップを設計することは可能であるが、コストが増大するという問題が生じる。
【０００６】
次世代ＤＶＤとＤＶＤ−ＲＯＭを再生する互換再生機において、光ピックアップのコストを下げるために、例えば、青色の半導体レーザ（ＬＤ）とＮＡが０．６０の高ＮＡの対物レンズとを用いてＤＶＤ−ＲＯＭディスクを再生させた場合、標準イコライザでＲＦ信号を補正しても、図５（ａ）に表すように、良好なＲＦ信号が正しく得られない。さらに、この状態で回転制御を行っても正しい同期制御が行えないため、良好な復調信号が得られないといった問題が生じる。
【０００７】
これに対して、トラッキングエラー（ＴＥ）極性を切り替えてＤＶＤ−ＲＯＭディスクを再生させる技術が開示されている（特許文献１）。
【特許文献１】特開２００２−１０９７６４号公報
【発明の開示】
【発明が解決しようとする課題】
【０００８】
しかし、本発明者の独自の検討の結果、このようにトラッキングエラー（ＴＥ）極性を切り替えて再生させても良好な再生特性が得られない場合があることが分かった。  
本発明は、かかる課題の認識に基づいてなされたものであり、その目的は、次世代ＤＶＤを含めた互換性を有する光情報記録再生装置を提供することにある。
【課題を解決するための手段】
【０００９】
本発明の一態様によれば、中心波長が４０５ナノメータ帯のレーザ光を用いて、カバー層厚みが０．１もしくは０．６ミリメータ帯である中心波長が４０５ナノメータ帯のレーザ光で記録及び再生が最適化された第１光ディスクの記録及び再生と、カバー層厚みが０．６ミリメータ帯である中心波長が６５０ナノメータ帯のレーザ光で記録及び再生が最適化された第２光ディスクの再生と、を実行可能とし、前記第２光ディスクの再生には、シンメトリー補正手段を用いることを特徴とする互換系光情報記録再生装置が提供される。
本発明において、前記レーザ光と前記対物レンズとを用いて、前記第２ディスクを再生して取り出したＲＦ信号をシンメトリー補正手段により補正することが可能な互換系光情報記録再生装置が得られる。
【発明の効果】
【００１０】
本発明によれば、次世代ＤＶＤとＤＶＤ−ＲＯＭディスクを含めた互換性を有する光情報記録再生装置が提供される。
【発明を実施するための最良の形態】
【００１１】
以下、図面を参照しつつ本発明の実施の形態について説明する。なお、各図において同様の構成要素には同一の番号を付して詳細な説明の繰り返しを省略する。  
図１は、本発明の第１具体例に係る光情報記録再生装置の再生部を表すブロック図である。  
また、図２は、本発明の第１具体例に係る光情報記録再生装置の再生部を表す模式図である。
【００１２】
本実施形態の光情報記録再生装置には、青色ＬＤ１０ａと、ＮＡが約０．６５の対物レンズ１６と、ＲＦ信号を補正するシンメトリー補正手段６ａと、が設けられている。このシンメトリー補正手段６ａは、青色ＬＤ１０ａをＤＶＤ−ＲＯＭディスクに入射して得られたＲＦ信号をシンメトリー補正する役割を果たし、良好な再生特性を得ることが可能となる。ここで、青色ＬＤ１０ａにより青色レーザで再生する光ディスク、例えば、ＨＤ  ＤＶＤ（商標）などの記録及び再生と、ＤＶＤ−ＲＯＭディスクの再生を行う。
【００１３】
図３は、比較例の光情報記録再生装置を表すブロック図である。  
また、図４は、比較例の光情報記録再生装置の再生部を表す模式図である。
【００１４】
まず、図３の比較例について説明する。  
比較例の光情報記録再生装置は、青色ＬＤ１０ａと、赤色ＬＤ１０ｂと、ＮＡが約０．６の対物レンズ１６と、を有しており、青色ＬＤ１０ａで青色レーザで再生する光ディスク、例えば、ＨＤ  ＤＶＤ（商標）の記録及び再生を行い、赤色ＬＤ１０ｂでＤＶＤ−ＲＯＭディスクの再生を行う。
【００１５】
比較例の光情報記録再生装置を用いて光ディスク１８から信号を読み取る動作について説明する。次世代ＤＶＤ光ディスク規格に対応する青色ＬＤ１０ａあるいは再生専用として、例えばＤＶＤ−ＲＯＭディスクなどの光ディスク規格に対応する波長の赤色ＬＤ１０ｂは、それぞれ青色ＬＤ用ＣＷ駆動回路５４ａ及び赤色ＬＤ用ＣＷ駆動回路５４ｂにより駆動される。
【００１６】
すなわち、この青色ＬＤ１０ａから照射された連続波出力（ＣＷ）は、ダイクロイックプリズム１１を透過してハーフミラー１２などにより分岐されてモニタダイオード１４に入射後、電流に変換されて、青色ＬＤ用ＡＰＣ（Automatic Power Control）回路５６ａへ入力されて、青色ＬＤ１０ａの出力が所定値に保つように、それぞれの青色ＬＤ用ＬＤＣＷ駆動回路５４ａを制御する。また、赤色ＬＤ１０ｂの場合、ダイクロイックプリズム１１で反射してハーフミラー１２で分岐され、モニタダイオード１４に入射後、赤色ＬＤ用ＡＰＣ（Automatic Power Control）回路５６ｂへ入力されて、赤色ＬＤ用ＣＷ駆動回路５４ｂを制御する。  
まず、ＰＵ（Pick Up）８を光ディスク１８の内周に移動させて、例えば、０．５ミリワットの光出力のビームを照射し、ハーフミラー１２を透過した青色ＬＤ１０ａ及び赤色ＬＤ１０ｂのビームは、ＮＡが約０．６５の対物レンズ１６により収束されて光ディスク１８上にスポットを形成する。光ディスク１８から反射されたビームは光学系を戻った後、多分割領域からなる受光素子２０へ入射する。この受光素子２０は、フォーカシングエラー（ＦＥ）信号、トラッキングエラー（ＴＥ）信号、ＲＦ信号をそれぞれ検出するために多分割領域から構成されている。
【００１７】
多分割領域へ入射したビームは電気信号へ変換された後、所定の演算式に従って演算器３０により演算が実行される。この各演算器３０へは光ディスク１８上の情報信号がそれぞれに入力される。
【００１８】
まず、コイル２２を光ディスク１８に対して垂直方向に移動させ、ＦＥ信号の演算結果をもとに、ディスクが装置にセットされているか判別し、ディスクがセットされていることが確認できるとＦＥ信号のピーク−ピークレベルを読み取り、既知の方法でディスクの種類を判別する。さらに、ＦＥ信号のピーク−ピークレベルの設定値を比較してＶＣＡ（Voltage Controlled Amplifier）回路３４ａのゲインを調節して合焦点においてサーボをＯＮとする。
【００１９】
次に、ディスクを回転させ、例えば、ＴＥ信号のピーク−ピークレベルを読み取り、設定値を比較してＶＣＡ回路３４ｂのゲインを調節し、ＯＮトラックとなった点でトラッキングサーボをＯＮとする。この後、回転している光ディスク１８からＲＦ信号が取り込まれる。
【００２０】
続いて、ＲＦ信号のピーク−ピークレベルを設定値を比較してＶＣＡ回路３４ｄのゲインを調整し、ディスク判別回路４４により判断された信号により、ＲＦ信号のイコライザ回路３７ａまたは３７ｂを選択する。ここで、演算器３０から出力されたＴＥ信号は分岐されており、一方は直接ＶＣＡ回路３４ｂへ入力し、他方はＬＰＦ（Low Pass Filter）３３で信号を平滑化した後、ＶＣＡ回路３４ｃに入力される。また、演算器３０から出力されたＦＥ信号はＶＣＡ回路３４に入力した後、ディジタルイコライザ３６ａに入力され、出力がＰＷＭ（Pulse width modulation）回路３８へと送られる。
【００２１】
また、ＶＣＡ回路３４ｄから出力されたＲＦ信号は、青色ＬＤ用イコライザ３７ａと赤色ＬＤ用イコライザ３７ｂとに分岐されており、各演算器３０によりディスク判別回路４４からの結果を受けてイコライザ回路３７が選択される。選択されたイコライザ回路３７によるＲＦ信号はスライス回路３９に入力され、同期検出回路４１とＰＬＬ（Phase-Locked loop）回路４０とＥＦＭ（Eight to Fourteen Modulation）回路４２とに分岐出力される。同期検出回路４１はＰＬＬ回路４０と接続されており、図示しない基準クロックと比較された後ＰＷＭ回路３８に入力される。
【００２２】
ＰＷＭ回路３８からは、フォーカシング信号（ＦＯＣＳ）がコイル２２へ出力され、トラッキング信号（ＴＲＫＧ）がコイル２４へ出力される。またスピンドルモータ制御信号（ＳＰＤＬ）及びキャリッジ（ＣＡＲＧ）信号が出力される。
【００２３】
また、ディスク判別するための信号がＣＰＵ（Central Processing Unit）４６へ入力される。ＣＰＵ４６はさらにサーボコントローラ５２と、ディスク判別回路４４と、ＲＡＭ（Random Access Memory）４８と、に接続されて、光情報記録再生装置全体を制御する。
【００２４】
次に、半導体レーザ１０のＣＷ駆動条件について説明する。  
一般に、中心波長が６５０ナノメータ帯の波長を用いるＤＶＤ−ＲＯＭディスクと中心波長が７８０ナノメータ帯の波長を用いるＣＤ−ＲＯＭディスクとの再生に使用するＬＤの最大定格出力は５または７ミリワット以下である。ＤＶＤ−ＲＯＭディスク、ＣＤ−ＲＯＭディスク、及びこれらの互換光ディスク規格において、この最大定格出力で光ピックアップが実現可能であった。
【００２５】
図４に表すように、比較例の光情報記録再生装置は、青色ＬＤ１０ａと回折格子６３とダイクロイックプリズム１１と検出レンズ６４ａと受光素子２０とＤＶＤ用ホログラムユニット２０ｂと立ち上げミラー６２とコリメートレンズ６５と１／２波長板６６とハーフミラー１２と検出レンズ６７とフロントモニタ１４と１／４波長板６８とＮＡが約０．６５の対物レンズ１６と、を有している。
【００２６】
これらの光学部品は、入射した光を１００％透過するわけではない。例えば、各部品の６５０ナノメータ帯に対する透過率を７０％とし、５つの光学部品を用いて、対物レンズ１６後で０．５ミリワットの連続ビームを得る場合、Ｐ１＝０．５／（０．７×０．７×０．７×０．７）＝４．２５（ミリワット）の光出力を要する。これは、最大定格が５ミリワットであれば充分可能であった。
【００２７】
ところが近年、中心波長が４０５ナノメータ帯である次世代ＤＶＤを含めた互換光学系光情報記録装置が要求されるようになった。この場合、４０５ナノメータ帯を含む２波長もしくは３波長全てに対して透過率を高く維持することは極めて困難である。例えば、４０５ナノメータ帯において９０％の透過率であるように設計しても、６５０ナノメータ帯においては５０％となることが多い。またそれぞれの波長に対して位相などを合わせる必要があり、各波長において通過する光学部品数は必然的に増加する。
【００２８】
例えば、６５０ナノメータ帯の波長を５ミリワット出力で用いる場合、通過する光学部品数が６個であり、透過率がそれぞれ７０，６０、７０、５０，７０，６０％とする。Ｐ２（ｍＷ）＝５×０．７×０．６×０．７×０．５×０．７×０．６＝０．３１となる。この光出力では、再生が充分にできない場合が生じる。光ディスク１８上で再生を行うのに０．５ミリワットが必要とすれば、Ｐ３（ｍＷ）＝０．５／（０．７×０．６×０．７×０．５×０．７×０．６）＝８．１となり、最大定格出力が５ミリワットである再生用半導体レーザでは不十分となる。もし、ＣＷ出力＝８ｍＷで使用すると、半導体レーザ端面において温度上昇などによりＣＯＤ（Catastrophic Optical Damage）が起こりやすくなる。
【００２９】
最大定格出力が大きい半導体レーザを用いれば解決するが、これまでの半導体レーザを使用することができれば、新たな半導体レーザや光学系やの設計は不要もしくは簡略に行え、かつ高周波重量のかかりやすさや価格的に極めて有利である。
【００３０】
本実施形態によれば、ＲＦ信号に対してシンメトリー補正を行うことで、青色ＬＤ１０ａでＤＶＤ−ＲＯＭディスクを再生することが可能となるだけでなく、ＤＶＤ再生用の赤色ＬＤ１０ｂと赤色レーザのみに使用されている光学部品とその駆動回路及びＡＰＣが不要となり、光学部品による光効率のロスが低減でき、最大定格出力を省エネルギー化することが可能となる。  
光ディスクの再生時にはＲＦ信号のアイ（eye）の中心がずれる「ａｓｙｍｍｅｔｒｙ」と呼ばれる現象が生じる場合がある（例えば、「図解コンパクトディスク読本（改訂２版）」中島、小川、１９８８年、オーム社）。ＣＤやＤＶＤ記録再生装置で起きるａｓｙｍｍｅｔｒｙは、ディスクの製造過程においてピット形状やピット深さ等に依存して生じるものであり、これらの補正のため、ＥＦＭ信号の直流成分がゼロになるように記録信号を調整するａｓｙｍｍｅｔｒｙ補正などが行われている。  
一方、本実施形態におけるシンメトリー補正は、最適化されていない光学系で再生したときに生じるシンメトリーのずれに対して、ディスクから再生されたＲＦ信号のアイの中心を信号のピークツーピークの中心になるような正しいシンメトリーに補正するという意味で用いている。
【００３１】
次に、図１に表した本実施形態の光情報記録再生装置について説明する。  
図１に表すように、本実施形態の光情報記録再生装置は、ＲＦ信号のＶＣＡ回路３４ｄと赤色及び青色ＬＤ用イコライザ回路３７ａ３７ｂと、の間に、ＡＤ変換器１とピーク検出器３と平均値検出回路５とシンメトリー補正回路７とからなるシンメトリー補正手段６ａが設けられ、その代わりに、赤色ＬＤ１０ｂと赤色ＬＤ用ＣＷ駆動回路５４ｂと赤色ＬＤ用ＡＰＣ回路５６ｂとが除かれた構造を有する。
【００３２】
ここでは、ＶＣＡ回路３４ｄから出力されたＲＦ信号の各波をシンメトリー補正手段６ａでは、ＡＤ変換器１でデジタル化し、ピーク検出器３で各波のピーク値を検出して、平均値検出回路５で全体のピーク値を平均化して、シンメトリー補正回路７で各波がシンメトリー形状になるように補正を行っている。
【００３３】
例えば、図５は、本実施形態の光情報記録再生装置から得られるＲＦ信号の波形を表す模式図であり、図５（ａ）がシンメトリー補正をする前のＲＦ信号の波形であり、図５（ｂ）がシンメトリー補正した後の、ＲＦ信号の波形である。
【００３４】
図５（ａ）に表すように、シンメトリー補正しないＲＦ信号は、短いＴの波形が中心に位置せずシンメトリーが乱れた連続波形からなる。ここで、デジタル化した信号のピーク最大値電圧を例えば、ｐ１、ｐ３、ｐ５、・・・ｐｎとし、ピーク最小値電圧を、例えば、ｐ２、ｐ４、ｐ６・・・ｐ（ｎ＋１）として、各Ｔ（１ビット時間幅）の波形に対する中心値を、例えば、ｗｎ＝（ｐｎ＋ｐ（ｎ＋１））／２とし算出し、全体の中心値を、Σｗｎ／（ｎ／２）として平均検出回路で検出する。ここでは、例えば、全体の中心値を２．５ボルトとする。そして、図５（ｂ）に表すように、全体の中心値、例えば、２．５Ｖに全体の中心値に近づけ、シンメトリー補正を行うことができ、青色ＬＤ１０ａでＤＶＤ−ＲＯＭディスクを再生することが可能となる。
【００３５】
さらに、本発明の実施形態に係る光情報記録再生装置について詳細に説明する。  
図６は、図３及び図４の比較の光情報記録再生装置で中心波長が６５０ナノメータ帯の赤色レーザを用いてＤＶＤ−ＲＯＭディスクを再生して得られたによるＲＦ信号を表すアイパターンであり、図６（ａ）が赤色ＬＤ用イコライザ３７ｂを使用しない場合であり、図６（ｂ）が赤色ＬＤ用イコライザ３７ｂを使用した場合である。
【００３６】
この波形はＲＦ信号の３Ｔから１４Ｔ（Ｔ：チャンネル時間幅）を重ね書きしてアイパターン（eye pattern）が見えるようにオシロスコープで形成して表示させた波形である。  図６に表すように、赤色ＬＤ用イコライザ３７ｂの有無に関わらず、各Ｔの中心はほぼ中心位置にあり、赤色ＬＤ用イコライザ３７ｂによりさらにアイが開いていることが分かる。
【００３７】
また、図７は、図３及び図４の比較の光情報記録再生装置で中心波長が４０５ナノメータ帯の青色レーザを用いてＤＶＤ−ＲＯＭディスクを再生して得られたＲＦ信号を表すアイパターンであり、図７（ａ）が赤色ＬＤ用イコライザ３７ｂを使用しない場合であり、図７（ｂ）が赤色ＬＤ用イコライザ３７ｂを使用した場合である。
【００３８】
図７（ａ）に表すように、シンメトリー補正手段６ａを使用していないため、最短ピット時間幅の３Ｔは中心位置よりも低くなる。また、この信号に赤色ＬＤ用イコライザ３７ｂを用いても、図７（ｂ）に表すように、ＲＦ信号の波形に適正なイコライザがかからず、各Ｔの中心が不揃いになり時間ズレが生じる。この状態でスライスレべルを中心位置に設定しても、スピンドルの回転制御や信号復調させることが困難になる。
【００３９】
これに対して、本実施形態の光情報記録再生装置によれば、シンメトリー補正手段６ａにより、ＤＶＤ−ＲＯＭディスク及びＣＤ−ＲＯＭディスクのＲＦ信号を良好にすることができる。
【００４０】
図８は、図１及び図２の光情報記録再生装置の青色レーザによりＤＶＤ−ＲＯＭディスクを再生させたこの信号に赤色ＬＤ用イコライザ３７ｂ後のＲＦ信号を表すアイパターンである。
【００４１】
図８に表すように、本実施形態によればシンメトリー補正手段６ａにより、ＤＶＤ−ＲＯＭディスクにおいても、ジッタが小さく各Ｔの中心はほぼ中心位置になることが分かる。
【００４２】
図９は、本発明の第２具体例に係る光情報記録再生装置の再生部を表すブロック図である。  
本具体例の光情報記録再生装置は、図１のシンメトリー補正手段６ａに含まれるシンメトリー補正回路７と、赤色ＬＤ用イコライザ３７ｂと、青色ＬＤ用イコライザ３７ａとの代わりに、スライスレベル補正回路５８が設けられた構造を有する。すなわち、シンメトリー補正手段６ｂには、ＡＤ変換器１とピーク検出器回路と平均値検出回路とスライスレベル補正回路５８が設けられている。このような構造にすれば、シンメトリー補正の代わりにシンメトリーの平均値を演算することで、シンメトリーが乱れたＲＦ信号に対してスライスレベルを演算値に基づきスライスレベル補正回路５８で補正することができ、図１と同様の効果を得ることが可能となる。
【００４３】
第１及び第２具体例では、カバー層厚みが０．６ミリメータで中心波長が４０５ナノメータ帯のレーザ光を用いて記録及び再生が最適化された光ディスクのＨＤ  ＤＶＤ（商標）と、カバー層厚み０．６ミリメータで中心波長が６５０ナノメータ帯のレーザ光を用いた記録及び再生が最適化された光ディスクのＤＶＤ−ＲＯＭと、の互換について説明した。
【００４４】
一方、中心波長が４０５ナノメータ帯のレーザ光で記録及び再生が最適化されたディスクとしては、カバー層厚みを０．１ミリメータあるいは０．３ミリメータとしたものも提案、開発されている。例えば、カバー層厚みが０．１ミリメータの光ディスクとしては、Ｂｌｕ−ｒａｙ（商標）が提案されており、この場合の対物レンズ１６のＮＡは約０．８５である。
【００４５】
このようにカバー層厚み０．１ミリメータで中心波長が４０５ナノメータ帯のレーザ光で記録及び再生が最適化された光ディスクと、カバー層厚み０．６ミリメータで中心波長が６５０ナノメータ帯のレーザ光で記録及び再生が最適化された光ディスクのＤＶＤ−ＲＯＭと、の互換についても同様の方法で実現可能である。
図１０は、本発明の第３の具体例に係る光情報記録再生装置の再生部を表すブロック図である。  
本具体例においては、対物レンズ１６のＮＡが約０．８５であり、対物レンズ１６と青色レーザ１０ａとの間に、例えば、波長選択性を有するホログラム素子あるいは波長選択性の開口制限機能を有する液晶素子１９が設けられ、この液晶素子１９とＣＰＵ４６との間に開口制限制御回路６０が設けられている。
例えば、ＤＶＤ−ＲＯＭのようにカバー層厚み０．６ミリメータで中心波長６５０ナノメータ帯のレーザ光で記録及び再生が最適化された光ディスクが挿入されると、ディスク判別回路４４がこのディスクを判別する。その判別結果に基づき、ＣＰＵ４６は、開口制限素子回路５８を介して開口制限素子１９により第２光ディスクであるＤＶＤ−ＲＯＭ等に合わせて約０．６もしくは約０．６５になるように制御する。その後は、第１及び第２具体例と同様に、シンメトリー補正もしくはスライスレベル補正を適切に行うことが可能になる。
【００４６】
以上説明したように、本発明によれば、青色ＬＤ１０ａを用いてＤＶＤ−ＲＯＭディスクから取り出したＲＦ信号のシンメトリー補正もしくはスライスレベル補正を行うことで、正しく再生させることが可能となり、さらに、ＤＶＤ再生用の赤色ＬＤと赤色レーザのみが透過する光学部品とその駆動回路及びＡＰＣが不要となり、青色ＬＤ１０ａの出力も低くすることができる。この結果、次世代ＤＶＤを含めた互換性を有する光情報記録再生装置が実現できる。
【００４７】
以上、図面を参照しつつ本発明の実施の形態について説明した。しかし、本発明はこれら具体例に限定されるものではない。  
例えば、光情報記録再生装置を構成する、半導体レーザ、ＬＰＦ，シンメトリー補正手段、光学部品、受光素子などの構成要素におけるサイズ、形状、配置などに関し当業者が行う各種設計変更なども、本発明の要旨を逸脱しない限り本発明に包含される。  
また、本発明の各光ディスクについてＲＯＭディスクのみ例に挙げて説明したが、ライトワンスディスク、リライタブルディスクでも同様の効果が得られる。また、ＤＶＤ＋Ｒ及びＤＶＤ＋ＲＷなどについても、ＤＶＤ−ＲＯＭと同様の効果が得られる。
【図面の簡単な説明】
【００４８】
【図１】本発明の第１具体例にかかる光情報記録再生装置の再生部を表すブロック図である。
【図２】本発明の第１具体例に係る光情報記録再生装置の再生部を表す模式図である。
【図３】比較例の光情報記録再生装置を表すブロック図である。
【図４】比較例の光情報記録再生装置の再生部を表す模式図である。
【図５】本実施形態の光情報記録再生装置から得られるＲＦ信号の波形を表す模式図であり、図５（ａ）がシンメトリー補正をする前のＲＦ信号の波形であり、図５（ｂ）がシンメトリー補正した後の、ＲＦ信号の波形である。
【図６】図６は、図３及び図４の比較の光情報記録再生装置によるＲＦ信号を表すアイパターンであり、図６（ａ）が赤色ＬＤ用イコライザ３７ｂを使用しない場合であり、図６（ｂ）が赤色ＬＤ用イコライザ３７ｂを使用した場合である。
【図７】図３及び図４の比較の光情報記録再生装置によるＲＦ信号を表すアイパターンであり、図７（ａ）が赤色ＬＤ用イコライザ３７ｂを使用しない場合であり、図６（ｂ）が赤色ＬＤ用イコライザ３７ｂを使用した場合である。
【図８】図１及び図２の本実施形態の光情報記録再生装置によるＤＶＤ−ＲＯＭディスクを再生させたＲＦ信号を表すアイパターンである。
【図９】本発明の第２具体例に係る光情報記録再生装置の再生部を表すブロック図である。
【図１０】本発明の第３の具体例に係る光情報記録再生装置の再生部を表すブロック図である。
【符号の説明】
【００４９】
１ ＡＤ変換器
３ ピーク検出器
５ 平均値検出回路
６ａ、６ｂ シンメトリー補正手段
７ シンメトリー補正回路
１０ａ 青色ＬＤ
１０ｂ 赤色ＬＤ
１１ ダイクロイックプリズム
１６ 対物レンズ
１８ 光ディスク
１９液晶素子
３０ 演算器
３２ ＬＰＦ
３４ ＶＣＡ回路
３６ イコライザ回路
３７ａ 青色ＬＤ用イコライザ
３７ｂ 赤色ＬＤ用イコライザ
３９ スライス回路
４０ ＰＬＬ回路
４１ 同期検出回路
４２ ＥＦＭ回路
４４ ディスク判別回路
５４ａ 青色ＬＤ用ＣＷ駆動回路
５４ｂ 赤色ＬＤ用ＣＷ駆動回路
５６ａ 青色ＬＤ用ＡＰＣ回路
５６ｂ 赤色ＬＤ用ＡＰＣ回路
５８ スライスレベル補正
６０  開口制限制御回路
【図１】
0004542031.tif 000002
【図２】
0004542031.tif 000003
【図３】
0004542031.tif 000004
【図４】
0004542031.tif 000005
【図５】
0004542031.tif 000006
【図９】
0004542031.tif 000007
【図１０】
0004542031.tif 000008
【図６】
0004542031.tif 000009
【図７】
0004542031.tif 000010
【図８】
0004542031.tif 000011